(57)【要約】  【課題】  ユーザの意思で無線パラメータを決定し、無線通信の運用が可能な無線環境条件を自動設定できる、利便性の高い無線通信装置を提供する。  【解決手段】  制御手段７、記憶手段８、ユーザ意思決定スイッチ９および自動設定スイッチ１０から構成し、電波環境測定時間、速度優先／通信距離優先、相互変調考慮の有無、パケット長最適の有無および子機登録台数などの無線パラメータを選択し、無線パラメータを装置の無線環境に基づいて周波数チャネル、受信電力、子機ＩＤおよび子機１Ｂ１〜１Ｂ５からの送信電力などの無線環境条件を自動設定する自動設定手段３を備える。【選択図】  図２
2005260853.tif 000002
【特許請求の範囲】
【請求項１】
ファクトリー・オートメーション（ＦＡ）の一環として生産工程内のデータ通信を実行する親機および複数の子機からなる無線通信装置であって、
電波環境測定時間、速度優先／通信距離優先、相互変調考慮の有無、パケット長最適の有無および子機登録台数などの無線パラメータを選択し、前記無線パラメータを装置の無線環境に基づいて周波数チャネル、受信電力、子機ＩＤおよび子機からの送信電力などの無線環境条件を自動設定する自動設定手段を備えたことを特徴とする無線通信装置。
【請求項２】
前記自動設定手段は、無線パラメータを記憶するとともに、自動設定された無線環境条件を記憶する記憶手段と、前記記憶手段からの無線パラメータに基づいて無線環境条件を設定する制御手段と、ユーザの意思で無線パラメータを決定するユーザ意思決定スイッチと、無線環境条件の設定を起動する自動設定起動スイッチと、を備えたことを特徴とする請求項１記載の無線通信装置。
【請求項３】
前記記憶手段は、選択する無線パラメータを記憶する無線パラメータ記憶領域と、自動設定する無線環境条件を記憶する無線環境条件記憶領域と、を備えたことを特徴とする請求項２記載の無線通信装置。
【請求項４】
前記ユーザ意思決定スイッチは、無線パラメータを選択する選択スイッチと、子機の登録を除いて予め数パターンの無線パラメータが選択済みの選択・決定スイッチと、を備えたことを特徴とする請求項２記載の無線通信装置。
【発明の詳細な説明】
【技術分野】
【０００１】
本発明はファクトリー・オートメーション（ＦＡ）の一環として生産工程内のデータ通信を実行する親機および複数の子機からなる無線通信装置に係り、特にユーザの意思で無線パラメータを選択し、データ通信の無線環境条件を自動設定可能な無線通信装置に関する。
【背景技術】
【０００２】
従来の無線通信装置において、親機が複数の周波数チャネルの中から１つの周波数チャネルを選択し、親機と複数の子機との間でデータ通信を実行するものが知られている。
【０００３】
この種の無線通信装置では、使用したい周波数チャネルが空いているか（いわゆる空きチャネルがあるか）否かをチェックする「キャリアセンス」機能および送信開始時に固有の「呼出名称」（例えば、子機の固有ＩＤ）を送信する機能が、例えば４２９ＭＨｚ帯の１０ｍＷ特定小電力無線設備（無線通信装置に相当）に、電波法上義務付けられている。
【０００４】
この無線通信方式は、４２９．２５００ＭＨｚ〜４２９．７３７５ＭＨｚまでを１２．５ＫＨｚ間隔の４０周波数チャネル（ＣＨ）が割当てられている。
【０００５】
従来の無線通信装置は、運用に先立って電波環境測定時間、速度優先／通信距離優先の設定、相互変調考慮の有無、パケット長最適化の有無、子機登録台数などの無線パラメータを決定した後、装置が設置される無線環境条件に適合させている。
【０００６】
また、従来の無線通信装置は、「特許文献１」（無線送信装置および無線受信装置）に開示されているように、より多くの周波数チャネルおよび周波数チャネルをグループ化したより多くの周波数グループのチャネルを利用できるととともに、混変調（相互変調）妨害が発生しないように周波数チャネルを決定できるものである。
【特許文献１】特開平１１−２２５１４９号公報
【発明の開示】
【発明が解決しようとする課題】
【０００７】
従来の無線通信装置は、運用に先立って実行する電波環境測定時間、速度優先／通信距離優先の設定、相互変調考慮の有無、パケット長最適化の有無、子機登録台数などの無線パラメータの決定や無線環境条件の設定を、電波の状態を測定し、周波数帯域や相互変調などをユーザが認識した上で実効しなければならないため、無線技術や経験が必要とされ、難易度が高い課題がある。
【０００８】
また、無線パラメータの決定や無線環境条件の設定に、煩雑な作業が必要となり、また多くの工数が必要とされる課題がある。
【０００９】
「特許文献１」に開示されて従来の無線通信装置は、使用する周波数チャネルが混変妨害を発生しないように、比較的容易に設定できるが、他の無線パラメータの決定や無線環境条件の設定に、無線技術や経験が必要とされ、作業が煩雑になる課題がある。
【００１０】
この発明はこのような課題を解決するためになされたもので、その目的はユーザの意思で無線パラメータを決定し、無線通信の運用が可能な無線環境条件を自動設定できる、利便性の高い無線通信装置を提供することにある。
【課題を解決するための手段】
【００１１】
前記課題を解決するためこの発明に係る無線通信装置は、ファクトリー・オートメーション（ＦＡ）の一環として生産工程内のデータ通信を実行する親機および複数の子機からなる無線通信装置であって、電波環境測定時間、速度優先／通信距離優先、相互変調考慮の有無、パケット長最適の有無および子機登録台数などの無線パラメータを選択し、無線パラメータを装置の無線環境に基づいて周波数チャネル、受信電力、子機ＩＤおよび子機からの送信電力などの無線環境条件を自動設定する自動設定手段を備えたことを特徴とする。
【００１２】
この発明に係る無線通信装置は、電波環境測定時間、速度優先／通信距離優先、相互変調考慮の有無、パケット長最適の有無および子機登録台数などの無線パラメータを選択し、無線パラメータを装置の無線環境に基づいて周波数チャネル、受信電力、子機ＩＤおよび子機からの送信電力などの無線環境条件を自動設定する自動設定手段を備えたので、ユーザは、単純な操作をして無線パラメータを選択するだけで、装置の置かれた無線環境に合った無線環境条件を設定して運用の体制を構築することができる。
【００１３】
また、この発明に係る自動設定手段は、無線パラメータを記憶するとともに、自動設定された無線環境条件を記憶する記憶手段と、記憶手段からの無線パラメータに基づいて無線環境条件を設定する制御手段と、ユーザの意思で無線パラメータを決定するユーザ意思決定スイッチと、無線環境条件の設定を起動する自動設定起動スイッチとを備えたことを特徴とする。
【００１４】
この発明に係る自動設定手段は、無線パラメータを記憶するとともに、自動設定された無線環境条件を記憶する記憶手段と、記憶手段からの無線パラメータに基づいて無線環境条件を設定する制御手段と、ユーザの意思で無線パラメータを決定するユーザ意思決定スイッチと、無線環境条件の設定を起動する自動設定起動スイッチとを備えたので、ユーザに無線技術や無線知識がなくても、ユーザの意思で希望する無線パラメータを選択し、無線パラメータに対応した無線環境条件の設定を実現することができる。
【００１５】
さらに、この発明に係る記憶手段は、選択する無線パラメータを記憶する無線パラメータ記憶領域と、自動設定する無線環境条件を記憶する無線環境条件記憶領域とを備えたことを特徴とする。
【００１６】
この発明に係る記憶手段は、選択する無線パラメータを記憶する無線パラメータ記憶領域と、自動設定する無線環境条件を記憶する無線環境条件記憶領域とを備えたので、無線パラメータ記憶領域および無線環境条件記憶領域の項目を表示させることで初期設定を確認したり、変更することができる。
【００１７】
また、この発明に係るユーザ意思決定スイッチは、無線パラメータを選択する選択スイッチと、子機の登録を除いて予め数パターンの無線パラメータが選択済みの選択・決定スイッチとを備えたことを特徴とする。
【００１８】
この発明に係るユーザ意思決定スイッチは、無線パラメータを選択する選択スイッチと、子機の登録を除いて予め数パターンの無線パラメータが選択済みの選択・決定スイッチとを備えたので、極めて単純に運用開始、または変更時の無線パラメータを選択することができる。
【発明の効果】
【００１９】
この発明に係る無線通信装置は、電波環境測定時間、速度優先／通信距離優先、相互変調考慮の有無、パケット長最適の有無および子機登録台数などの無線パラメータを選択し、無線パラメータを装置の無線環境に基づいて周波数チャネル、受信電力、子機ＩＤおよび子機からの送信電力などの無線環境条件を自動設定する自動設定手段を備えたので、ユーザは、単純な操作をして無線パラメータを選択するだけで、装置の置かれた無線環境に合った無線環境条件を設定して運用の体制を構築することができ、使い勝手が良く、利便性の向上を図ることができる。
【００２０】
また、この発明に係る自動設定手段は、無線パラメータを記憶するとともに、自動設定された無線環境条件を記憶する記憶手段と、記憶手段からの無線パラメータに基づいて無線環境条件を設定する制御手段と、ユーザの意思で無線パラメータを決定するユーザ意思決定スイッチと、無線環境条件の設定を起動する自動設定起動スイッチとを備えたので、ユーザに無線技術や無線知識がなくても、ユーザの意思で希望する無線パラメータを選択し、無線パラメータに対応した無線環境条件の設定を実現することができ、使い勝手の良さをアピールすることができる。
【００２１】
さらに、この発明に係る記憶手段は、選択する無線パラメータを記憶する無線パラメータ記憶領域と、自動設定する無線環境条件を記憶する無線環境条件記憶領域とを備えたので、無線パラメータ記憶領域および無線環境条件記憶領域の項目を表示させることで初期設定を確認したり、変更することができ、装置の管理、保守・点検を効率的に実行することができる。
【００２２】
また、この発明に係るユーザ意思決定スイッチは、無線パラメータを選択する選択スイッチと、子機の登録を除いて予め数パターンの無線パラメータが選択済みの選択・決定スイッチとを備えたので、極めて単純に運用開始、または変更時の無線パラメータを選択することができ、熟練した作業者でなくても、誰にでも使いこなすことができる。
【発明を実施するための最良の形態】
【００２３】
以下、この発明の実施の形態を添付図面に基づいて説明する。図１はこの発明に係る無線通信装置の全体配置構成図である。図１において、無線通信装置１は、親機１Ａと、子機１Ｂ１〜１Ｂ５で構成し、ファクトリー・オートメーション（ＦＡ）の一環として生産工程ＬＮ内に配置する。なお、子機は、５台で表わしたが、６台以上で構成してもよい。
【００２４】
親機１Ａと子機１Ｂ１〜１Ｂ５は、同一グループを形成し、１つの周波数チャネルで相互に無線通信を行い、生産工程ＬＮに必要な機器（例えば、ＰＬＣ：プログラマブル・コントローラ等）のデータを親機１Ａから子機１Ｂ１〜１Ｂ５に送信し、子機１Ｂ１〜１Ｂ５で機器（例えば、ＰＬＣ）を動作し、子機１Ｂ１〜１Ｂ５から結果データ（例えば、管理データ）を親機１Ａに送信する。
【００２５】
図２はこの発明に係る無線通信装置（親機）の一実施の形態要部ブロック構成図である。図２において、無線通信装置１（親機１Ａ）は、アンテナＡＮＴを有する送受信部２、自動設定手段３、操作スイッチ４、外部インタフェース５、表示手段６を備える。
【００２６】
送受信部２は、制御手段７から供給される無線環境条件を設定するためのデータをアンテナＡＮＴを介して送信するとともに、アンテナＡＮＴから受信したデータを制御手段７に提供する。
【００２７】
自動設定手段３は、電波環境測定時間、速度優先／通信距離優先、相互変調考慮の有無、パケット長最適の有無および子機登録台数などの無線パラメータを選択し、無線パラメータを装置の無線環境に基づいて周波数チャネル、受信電力、子機ＩＤおよび子機１Ｂ１〜１Ｂ５からの送信電力などの無線環境条件を自動設定する。
【００２８】
自動設定手段３は、制御手段７、記憶手段８、ユーザ意思決定スイッチ９、自動設定起動スイッチ１０を備える。
【００２９】
制御手段７は、マイクロプロセッサを基本に各種処理機能、演算機能、比較・判定機能、シーケンス機能、アクセス機能などを備え、記憶手段８に格納されたソフトプログラムに基づいて無線環境の各種測定を実行し、実行した測定結果を基準値と比較して無線環境条件を設定する。また、制御手段７は、自動設定手段３を形成する記憶手段８、ユーザ意思決定スイッチ９、自動設定スイッチ１０および送受信部２、操作スイッチ４、外部インタフェース５および表示手段６の動作を制御する。
【００３０】
制御手段７は、ユーザ意思決定スイッチ９が操作されて供給されるユーザ意思情報に基づいて記憶手段８から電波環境測定時間、速度優先／通信距離優先、相互変調考慮、パケット長最適化および子機登録台数の無線パラメータを読み出し、表示手段６に表示させる制御を実行する。
【００３１】
また、制御手段７は、ユーザが表示手段６に表示された無線パラメータを見ながらユーザ意思決定スイッチ９を操作して選択した無線パラメータを意思決定情報として記憶手段８に記憶させる制御を実行する。
【００３２】
さらに、制御手段７は、意思決定情報として無線パラメータが決定された後、自動設定スイッチ１０が操作されて供給される自動設定情報に基づいて記憶手段８に記憶された意思決定情報の無線パラメータを読み出し、決定された無線パラメータの電波環境測定時間、速度優先／通信距離優先、相互変調考慮、パケット長最適化および子機登録台数の順番に無線環境条件を決定し、装置全体の運用に適した相互変調のない周波数チャネル（ＣＨ）、子機１Ｂ１〜１Ｂ５の受信電力、子機１Ｂ１〜１Ｂ５のＩＤ、子機１Ｂ１〜１Ｂ５の送信電力などの無線環境条件を設定する。
【００３３】
制御手段７は、無線環境条件設定に際して、最初に電波環境測定時間（例えば、１０分間）、周波数チャネル１ＣＨ〜ｋＣＨの受信電力を測定し、周波数チャネルに対応した受信電力を記憶手段８に記憶させ、各受信電力を基準値と比較して基準値を下回る受信電力の周波数チャネルを無線交信に使用可能な空きチャネルとして記憶手段８に記憶させる。
【００３４】
次に、無線パラメータの相互変調考慮有りの場合、空きチャネルの近傍のチャネルに使用中の周波数チャネルの有無を確認し、使用中の周波数チャネルがある場合（例えば、隣のチャネル）には、相互変調を発生しないように、この空きチャネルを使用可能な空きチャネルから除外する。
【００３５】
続いて、使用可能な空きチャネルの小さなもの（例えば、１ＣＨ，２ＣＨ,５ＣＨ,６ＣＨの場合には１ＣＨ）を固定チャネルに設定する。
【００３６】
次に、固定チャネルで送信するパケットのパケット長を最適化（パケット長最適化有りの場合）を施し、速度を優先（速度優先／通信距離優先が速度の場合）して送信電力を所定値にし、子機番号をパケットに付加して子機１Ｂ１〜１Ｂ５に送信する。
【００３７】
子機１Ｂ１〜１Ｂ５からそれぞれ子機ＩＤ（ＩＤ１〜ＩＤ５）の付加された受信電力を受信すると、子機ＩＤ（ＩＤ１〜ＩＤ５）と対応する受信電力を記憶手段８に記憶させ、受信電力を基準値と比較して子機１Ｂ１〜１Ｂ５の送信電力を設定して記憶手段８に記憶するとともに、子機１Ｂ１〜１Ｂ５宛てに送信電力値を送信して、子機１Ｂ１〜１Ｂ５に送信電力を設定させる。
【００３８】
上記の動作により、制御手段７は、ユーザが決定した無線パラメータに基づいて装置運用に必要とされる無線環境条件を設定することができる。
【００３９】
記憶手段８は、ソフトプログラムを記憶するＲＡＭ等の固定メモリ、無線パラメータや無線環境条件を記憶するフラッシュメモリ等の書替え可能なメモリで構成し、無線パラメータや無線環境条件を制御手段７に供給し、制御手段７から供給される意思決定情報を記憶したり、制御手段７が設定した無線環境条件を記憶する。
【００４０】
図３はこの発明に係る記憶手段の一実施の形態イメージ図である。図３において、記憶手段８は、無線パラメータ記憶領域８ａ、無線環境条件記憶領域８ｂを備える。
【００４１】
（ａ）図において、無線パラメータ記憶領域８ａは、電波環境測定時間（５分，１０分，２０分，３０分等の選択項目）、速度優先／通信距離優先（速度，通信号距離の選択項目）、相互変調考慮（有り，無しの選択項目）、パケット長最適化（有り、無しの選択項目）および子機登録台数（子機数ｘの登録）の無線パラメータを格納する。
【００４２】
（ｂ）図において、無線環境条件記憶領域８ｂは、周波数チャネル（１ＣＨ，２ＣＨ，３ＣＨ，…，ｎＣＨの項目）、受信電力（ＰR1，ＰR2，ＰR3，…，ＰRnの項目）、子機ＩＤ（ＩＤ１，ＩＤ２，…ＩＤｋの項目）、子機送信電力（ＰS1，ＰS2，…，ＰSkの項目）を記憶し、制御手段７が最終的に設定した無線環境条件を、例えば固定（空き）チャネル：１ＣＨ、送信電力：ＰW1、子機ＩＤ（子機送信電力）：ＩＤ１（ＰS1），ＩＤ２（ＰS2），…，ＩＤｋ（ＰSk）に設定する。
【００４３】
ユーザ意思決定スイッチ９は、ユーザが装置の運用に先立って自らの意思で無線パラメータを選択して決定するためのスイッチであり、ユーザがスイッチを操作し、意思決定情報が制御手段７に供給されて表示手段６に表示される図３（ａ）に示した無線パラメータを見ながら各パラメータの項目を選択して決定する。
【００４４】
図４はこの発明に係るユーザ意思決定スイッチの一実施の形態イメージ図である。（ａ）図にスイッチ構成、（ｂ）図に選択・決定スイッチの設定項目を表す。（ａ）図において、ユーザ意思決定スイッチ９は、決定スイッチ９ａ、選択スイッチ９ｂおよび選択・決定スイッチ９ｃを備える。
【００４５】
決定スイッチ９ａは、意思決定情報を制御手段７に供給し、表示手段６に図３（ａ）の無線パラメータを表示させる。
【００４６】
選択スイッチ９ｂは、表示された電波環境測定時間、速度優先／通信距離優先、相互変調考慮、パケット長最適化および子機登録台数を選択あるいは入力（子機登録台数）して無線パラメータを決定する。
【００４７】
選択・決定スイッチ９ｃは、例えば「Ａ」、「Ｂ」、「Ｃ」のボタンを備え、予め設定された無線パラメータを有し、ワンタッチ操作で無線パラメータを決定する。（ｂ）図に「Ａ」、「Ｂ」、「Ｃ」ボタンと予め設定された電波環境測定時間、速度優先／通信距離優先、相互変調考慮、パケット長最適化の無線パラメータを示す。子機登録台数だけは、図２に示す操作スイッチ４などから入力する。
【００４８】
なお、決定スイッチ９ａは、選択する項目の無線パラメータを表示するように構成したが、出荷時に予めデフォルト値を選択しておいてもよい。
【００４９】
このように、この発明に係るユーザ意思決定スイッチ９は、無線パラメータを選択する選択スイッチ９ａと、子機の登録を除いて予め数パターンの無線パラメータが選択済みの選択・決定スイッチ９ｃとを備えたので、極めて単純に運用開始、または変更時の無線パラメータを選択することができ、熟練した作業者でなくても、誰にでも使いこなすことができる。
【００５０】
自動設定スイッチ１０は、無線パラメータの決定後に無線環境条件を起動して設定するスイッチで、ユーザの操作によって自動設定情報を制御手段７に供給する。
【００５１】
操作スイッチ４は、０〜９のテンキーを含む各種機能キーで構成し、外部インタフェース５に接続された外部上位機器とのデータの送受信を実行したり、無線パラメータの子機登録台数の入力を行う。
【００５２】
外部インタフェース５は、外部上位機器を接続し、外部上位機器とのＩ／Ｏ、Ｉ／Ｆを取り、外部上位機器からの制御データを制御手段７を介して送受信部２から子機１Ｂ１〜１Ｂ５に送信させるとともに、子機１Ｂ１〜１Ｂ５から送信されてくる管理データを送受信部２→制御手段７を介して受け取り、管理データを外部上位機器に伝達する。
【００５３】
表示手段６は、ＬＣＤなどの表示器を備え、制御手段７から供給される無線パラメータ、無線環境条件を表示する。
【００５４】
このように、この発明に係る自動設定手段３は、無線パラメータを記憶するとともに、自動設定された無線環境条件を記憶する記憶手段８と、記憶手段８からの無線パラメータに基づいて無線環境条件を設定する制御手段７と、ユーザの意思で無線パラメータを決定するユーザ意思決定スイッチ９と、無線環境条件の設定を起動する自動設定起動スイッチ１０とを備えたので、ユーザに無線技術や無線知識がなくても、ユーザの意思で希望する無線パラメータを選択し、無線パラメータに対応した無線環境条件の設定を実現することができ、使い勝手の良さをアピールすることができる。
【００５５】
また、この発明に係る記憶手段８は、選択する無線パラメータを記憶する無線パラメータ記憶領域８ａと、自動設定する無線環境条件を記憶する無線環境条件記憶領域８ｂとを備えたので、無線パラメータ記憶領域８ａおよび無線環境条件記憶領域８ｂの項目を表示させることで初期設定を確認したり、変更することができ、装置の管理、保守・点検を効率的に実行することができる。
【００５６】
図５はこの発明に係る無線パラメータ決定の一実施の形態操作手順フロー図である。図５において、ユーザが図４（ａ）に示すユーザ意思決定スイッチ９の決定スイッチ９ａを操作する。
【００５７】
ステップＳ１では、選択スイッチ９ｂの電波環境測定時間ボタンを操作して電波環境測定時間を設定する。
【００５８】
ステップＳ２では、速度／通信距離ボタンを操作して速度優先か通信距離優先かを選択する。
【００５９】
ステップＳ３では、相互変調考慮ボタンを操作して相互変調考慮するか考慮しないかを選択する。
【００６０】
ステップＳ４では、パケット長最適化ボタンを操作してパケット長を最適化するか、しないかを選択する。
【００６１】
ステップＳ５では、子機登録台数ボタンを操作し、操作スイッチ４のテンキーから登録する子機の台数（例えば、５台ならば「５」）を入力して設定する。
【００６２】
この操作手順により、ユーザ自身の意思で、希望する無線パラメータを決定することができる。
【００６３】
図６はこの発明に係る無線環境条件自動設定の一実施の形態制御シーケンスフロー図である。なお、本実施の形態のシーケンスフローは、制御手段７が実行する。ユーザが自動設定スイッチ１０を操作することにより、自動設定のシーケンスが起動される。
【００６４】
ステップＳ１１では、電界強度を読込み、測定したＣＨ（周波数チャネル）と対応して記憶する。なお、電界強度は最大値のみを記憶する。また、既設の同一装置からのパケットを検出した際には、使用済みのＣＨであること、および同一機種の装置であることの識別も記憶する。
【００６５】
ステップＳ１２では、測定時間がｍ１（電波環境測定時間）以上か否かを判定し、ｍ１（電波環境測定時間）以上の場合にはステップＳ１３に移行する。一方、ｍ１（電波環境測定時間）を下回る場合にはステップＳ１１へ移行する。
【００６６】
ステップＳ１３では、電界強度が所定値以下ならば、空きチャネルとして記憶する。
【００６７】
ステップＳ１４では、速度優先か通信距離優先かを判定し、速度優先ならはステップＳ１５に移行する。一方、通信距離優先ならばステップＳ１６に移行する。
【００６８】
ステップＳ１５では、小さな空きＣＨから固定チャネルに割当てる。
【００６９】
ステップＳ１６では、空きＣＨからＭＣＡ（マルチ・チャネル・アクセス）で使用するＣＨを割当て、ステップＳ１７に移行する。
【００７０】
ステップＳ１７では、子機を呼び出す。なお、登録した子機台数（例えば、５台）の全ての子機が応答するまで実行する。
【００７１】
ステップＳ１８では、子機と交信時の電界強度を登録する。
【００７２】
ステップＳ１９では、子機の固有ＩＤを登録する。
【００７３】
この制御シーケンスにより、ユーザが決定した無線パラメータに基づいて装置が置かれた無線環境条件を設定し、装置を運用することができる。なお、この無線環境条件の自動設定は、実験室または生産工程現場で実行する。
【００７４】
図７はこの発明に係る無線環境条件自動設定の一実施の形態動作フロー図である。なお、本実施の形態の動作フローは、制御手段７が実行する。ユーザが自動設定スイッチ１０を操作することにより、自動設定のシーケンスが起動される。
【００７５】
ステップＳ２１では、テストパケットを送信する。
【００７６】
ステップＳ２２では、ＢＥＲ（ビットエラー率）は所定値以下か否かを判定し、所定値以下の場合にはステップＳ２３に移行する。一方、所定値を越える場合にはステップＳ２４に移行する。
【００７７】
ステップＳ２３では、空中線電力を低下してステップＳ２１およびステップＳ２２を繰り返す。
【００７８】
ステップＳ２４では、パケット長を最適化するか否かを判断し、最適化する場合にはステップＳ２５に移行する。一方、最適化しない場合にはステップＳ２８に移行する。
【００７９】
ステップＳ２５では、テストパケットを送信する。
【００８０】
ステップＳ２６では、ＰＥＲ（パケットエラー率）は所定値以下か否かを判定し、所定値以下の場合にはステップＳ２７に移行する。一方、所定値を越える場合にはステップＳ２８に移行する。
【００８１】
ステップＳ２７では、パケット長を長くしてステップＳ２５およびステップＳ２６を繰り返し実行する。
【００８２】
ステップＳ２８では、設定完了を通知する。
【００８３】
この動作フローにより、ユーザが決定した無線パラメータに基づいて装置が置かれた無線環境条件を設定し、装置を運用することができる。なお、この無線環境条件の自動設定は、生産工程現場で実行するが、必ずしも実行しなければならない項目でないため、省略することもできる。
【００８４】
図８はこの発明に係る子機の一実施の形態動作フロー図である。
【００８５】
ステップＰ１では、親機から呼出しか否かを判断し、呼出しの場合にはステップＰ３に移行する。一方、呼出しでない場合にはステップＰ２に移行する。
【００８６】
ステップＰ２では、周波数チャネルをＣＨからＣＨ＋１に設定し、ステップＰ１に移行する。
【００８７】
ステップＰ３では、呼出しに応答する。
【００８８】
ステップＰ４では、親機が決定したＣＨ、送信出力、パケットに設定して記憶する。
【００８９】
ステップＰ５では、設定完了を通知する。
【００９０】
この動作フローにより、親機が決定した無線環境条件で子機も設定されることになり、親機との無線交信が可能になる。
【００９１】
以上説明したように、この発明に係る無線通信装置１は、電波環境測定時間、速度優先／通信距離優先、相互変調考慮の有無、パケット長最適の有無および子機登録台数などの無線パラメータを選択し、無線パラメータを装置の無線環境に基づいて周波数チャネル、受信電力、子機ＩＤおよび子機からの送信電力などの無線環境条件を自動設定する自動設定手段３を備えたので、ユーザは、単純な操作をして無線パラメータを選択するだけで、装置の置かれた無線環境に合った無線環境条件を設定して運用の体制を構築することができ、使い勝手が良く、利便性の向上を図ることができる。
【産業上の利用可能性】
【００９２】
本発明に係る無線通信装置は、ユーザの意思で無線パラメータを決定し、無線通信の運用が可能な無線環境条件を自動設定でき、ファクトリー・オートメーション（ＦＡ）の一環として使用するあらゆる無線通信装置に適用することができる。
【図面の簡単な説明】
【００９３】
【図１】この発明に係る無線通信装置の全体配置構成図
【図２】この発明に係る無線通信装置（親機）の一実施の形態要部ブロック構成図
【図３】この発明に係る記憶手段の一実施の形態イメージ図
【図４】この発明に係るユーザ意思決定スイッチの一実施の形態イメージ図
【図５】この発明に係る無線パラメータ決定の一実施の形態操作手順フロー図
【図６】この発明に係る無線環境条件自動設定の一実施の形態制御シーケンスフロー図
【図７】この発明に係る無線環境条件自動設定の一実施の形態動作フロー図
【図８】この発明に係る子機の一実施の形態動作フロー図
【符号の説明】
【００９４】
１    無線通信装置
１Ａ    親機
１Ｂ１〜１Ｂ５    子機
２    送受信部
３    自動設定手段
４    操作スイッチ
５    外部インタフェース
６    表示手段
７    制御手段
８    記憶手段
８ａ    無線パラメータ記憶領域
８ｂ    無線環境条件記憶領域
９    ユーザ意思決定スイッチ
９ａ    決定スイッチ
９ｂ    選択スイッチ
９ｃ    選択・決定スイッチ
１０    自動設定スイッチ
ＡＮＴ  アンテナ
１ＣＨ〜ｎＣＨ    周波数チャネル
ＰR1〜ＰRn    受信電力
ＩＤ１〜ＩＤｋ    子機ＩＤ名称
ＰS1〜ＰSk    子機送信電力
ＬN    生産工程
【図１】
2005260853.tif 000003
【図２】
2005260853.tif 000004
【図３】
2005260853.tif 000005
【図４】
2005260853.tif 000006
【図５】
2005260853.tif 000007
【図６】
2005260853.tif 000008
【図７】
2005260853.tif 000009
【図８】
2005260853.tif 000010